(57)【特許請求の範囲】
【請求項１】
容器体(１)と該容器体の側壁(３)外面へ嵌合させた蓋体(１０)とを備え、
該蓋体(１０)の開口(１７)付き天板(１２)の下端部を後方へ屈曲して載置板部(１３)に形成し、
前記天板(１２)に割溝(１４)を形成して、該割溝(１４)より外方の天板(１２)部分と前記載置板部(１３)とで枠柱部(１５)を形成させ、
該枠柱部(１５)の垂直部分に薄肉ヒンジ(１６)を形成すると共に、該薄肉ヒンジ(１６)を介して後方へ屈曲させた前記枠柱部(１５)部分を所定の位置に保持可能な係合手段(２０)を設けることで、前記載置板部(１３)が前記容器体(１)の底壁(２)の後側に位置することが可能に設け、
前記載置板部(１３)を下面にして前記容器体(１)と蓋体(１０)とが直立状態にある縦置き式の態様で使用することと、前記薄肉ヒンジ(１６)を介して前記枠柱部(１５)部分を後方へ屈曲させることにより前記載置板部(１３)が前記容器体(１)の底壁(２)後方に起立状態で位置することで該載置板部(１３)を介して前記容器体(１)と蓋体(１０)とが他物へ吊下げ可能な吊下げ式の態様で使用することとを選択することができるように形成したことを特徴とする容器。
【請求項２】
前記係合手段(２０)は、前記枠柱部(１５)の上下方向中間部に、上端が前記薄肉ヒンジ(１６)に達して上下方向へ延びる切り溝(２１)を形成し、該切り溝(２１)の下面から弾性板部(２２)を起立すると共に、前記枠柱部(１５)の後面に凹部(２４)付きのリブ(２５)を設けて、該リブ(２５)の下端を前記切り溝(２１)の後面に延設させ、
前記枠柱部(１５)部分の後方への屈曲で前記弾性板部(２２)が前記リブ(２５)の凹部(２４)へ係合可能に設けたことを特徴とする請求項１記載の容器。
【請求項３】
容器体(１)と該容器体の側壁(３)外面へ嵌合させた蓋体(１０)とを備え、
該蓋体(１０)の天板(１２)に割溝(３０)を形成して、該割溝(３０)より外方の天板(１２)部分を吊下げ枠部(３１)に形成し、該吊下げ枠部(３１)の上端部を後方へ屈曲して嵌合板部(３２)に形成し、
前記吊下げ枠部(３１)の垂直部分に薄肉ヒンジ(３３)を形成すると共に、該薄肉ヒンジ(３３)を介して後方へ屈曲させた前記吊下げ枠部(３１)部分を所定の位置に保持可能な係合手段(４０)を設けることで、前記嵌合板部(３２)が前記容器体(１)の底壁(２)後方に位置することが可能に設け、
前記蓋体(１０)の天板(１２)の下端部を後方へ屈曲して載置面部(３４)に形成し、
前記載置面部(３４)を下面にして前記容器体(１)と蓋体(１０)とが直立状態にある縦置き式の態様で使用することと、前記薄肉ヒンジ(３３)を介して後方へ屈曲させた前記吊下げ枠部(３１)部分の前記嵌合板部(３２)を他物へ係合させた吊下げ式の態様で使用することとを選択することができるように形成したことを特徴とする容器。
【請求項４】
前記係合手段(４０)は、前記薄肉ヒンジ(３３)を含む前記吊下げ枠部(３１)部分の内側面に凹部(４１)を形成すると共に、前記蓋体(１０)の周壁(１１)の左右両側面に溝部(４２)付き突部(４３)を設け、前記吊下げ枠部(３１)部分の後方への屈曲で前記吊下げ枠部(３１)部分が前記突部(４３)の溝部(４２)へ係合可能に設けたことを特徴とする請求項３記載の容器。
【請求項５】
前記割溝(１４、３０)をコ字状に形成したことを特徴とする請求項１から請求項４のいずれかに記載の容器。
【発明の詳細な説明】
【技術分野】
【０００１】
本発明は脱臭剤等を収納する容器に関する。
【背景技術】
【０００２】
脱臭剤等が収納された容器体を縦長にした縦置き型といわれる容器が従来技術として知られている。
【先行技術文献】
【特許文献】
【０００３】
【特許文献１】特開２００１−２６１０８０号公報
【発明の概要】
【発明が解決しようとする課題】
【０００４】
縦置き型の容器はスペースをとらないため多く使用されているが、使用箇所によっては吊下げ型が適している場合がある。しかし、現状の容器では使用箇所に応じて使い分けることができなかった。
【０００５】
本発明は、上記課題を解決するためになされたもので、縦置き式にも吊下げ式にも使用できる容器を提供することを目的とする。
【課題を解決するための手段】
【０００６】
上記課題を解決するために、本発明は、容器体１と該容器体の側壁３外面へ嵌合させた蓋体１０とを備え、
該蓋体１０の開口１７付き天板１２の下端部を後方へ屈曲して載置板部１３に形成し、
前記天板１２に割溝１４を形成して、該割溝１４より外方の天板１２部分と前記載置板部１３とで枠柱部１５を形成させ、
該枠柱部１５の垂直部分に薄肉ヒンジ１６を形成すると共に、該薄肉ヒンジ１６を介して後方へ屈曲させた前記枠柱部１５部分を所定の位置に保持可能な係合手段２０を設けることで、前記載置板部１３が前記容器体１の底壁２の後側に位置することが可能に設け、
前記載置板部１３を下面にして前記容器体１と蓋体１０とが直立状態にある縦置き式の態様で使用することと、前記薄肉ヒンジ１６を介して前記枠柱部１５部分を後方へ屈曲させることにより前記載置板部１３が前記容器体１の底壁２後方に起立状態で位置することで該載置板部１３を介して前記容器体１と蓋体１０とが他物へ吊下げ可能な吊下げ式の態様で使用することとを選択することができるように形成したことを特徴とする。
【０００８】
さらに、本発明は、前記係合手段２０は、前記枠柱部１５の上下方向中間部に、上端が前記薄肉ヒンジ１６に達して上下方向へ延びる切り溝２１を形成し、該切り溝２１の下面から弾性板部２２を起立すると共に、前記枠柱部１５の後面に凹部２４付きのリブ２５を設けて、該リブ２５の下端を前記切り溝２１の後面に延設させ、
前記枠柱部１５部分の後方への屈曲で前記弾性板部２２が前記リブ２５の凹部２４へ係合可能に設けたことを特徴とする。
【０００９】
さらに、本発明は、容器体１と該容器体の側壁３外面へ嵌合させた蓋体１０とを備え、
該蓋体１０の天板１２に割溝３０を形成して、該割溝３０より外方の天板１２部分を吊下げ枠部３１に形成し、該吊下げ枠部３１の上端部を後方へ屈曲して嵌合板部３２に形成し、
前記吊下げ枠部３１の垂直部分に薄肉ヒンジ３３を形成すると共に、該薄肉ヒンジ３３を介して後方へ屈曲させた前記吊下げ枠部３１部分を所定の位置に保持可能な係合手段４０を設けることで、前記嵌合板部３２が前記容器体１の底壁２後方に位置することが可能に設け、
前記蓋体１０の天板１２の下端部を後方へ屈曲して載置面部３４に形成し、
前記載置面部３４を下面にして前記容器体１と蓋体１０とが直立状態にある縦置き式の態様で使用することと、前記薄肉ヒンジ３３を介して後方へ屈曲させた前記吊下げ枠部３１部分の前記嵌合板部３２を他物へ係合させた吊下げ式の態様で使用することとを選択することができるように形成した。
【００１２】
さらに、本発明は、前記係合手段４０は、前記薄肉ヒンジ３３を含む前記吊下げ枠部３１部分の内側面に凹部４１を形成すると共に、前記蓋体１０の周壁１１の左右両側面に溝部４２付き突部４３を設け、前記吊下げ枠部３１部分の後方への屈曲で前記吊下げ枠部３１部分が前記突部４３の溝部４２へ係合可能に設けたことを特徴とする。
【００１３】
さらに、本発明は、前記割溝１４、３０をコ字状に形成したことを特徴とする。
【発明の効果】
【００１４】
本発明は、天板に割溝を形成して枠柱部を形成し、該枠柱部が薄肉ヒンジを介して屈曲することで載置板部が容器体の底壁後側に位置することが可能に設け、または割溝より外方の天板部分を吊下げ枠部に形成し、吊下げ枠部分の後方への屈曲で嵌合板部が容器体の底壁後方に位置することが可能に設けたので、載置板部または嵌合板部を介して容器体を吊り下げることができ、したがって、使用箇所に応じて縦置き式または吊下げ式のいずれかを選択することができる。
【００１５】
また、本発明は、係合手段は、枠柱部分の後方への屈曲で弾性板部がリブの凹部へ係合可能に設けるか、または吊下げ枠部分の後方への屈曲で吊下げ枠部分が突部の凹部へ係合可能に設けたので、枠柱部分または吊下げ枠部分の屈曲のみで容易に吊下げ型として使用可能である。
【図面の簡単な説明】
【００１６】
【図１】(ａ)本発明に係る容器の平面図である。          (ｂ)容器の正面図である。          (ｃ)容器の側面図である。
【図２】縦置き状態の斜視図である。
【図３】作用説明図である。
【図４】係合手段の斜視図である。
【図５】図４の断面図である。
【図６】(ａ)第２実施形態の平面図である。            (ｂ)容器の正面図である。            (ｃ)容器の側面図である。
【図７】縦置き状態の斜視図である。
【図８】作用説明図である。
【発明を実施するための形態】
【００１７】
以下、本発明の実施の形態について、図面を参照しながら詳細に説明する。なお、説明の便宜上、図１において紙面と直交する方向を前後方向とする。
【００１８】
図１において、１は容器体で、底壁２の周縁から側壁３を起立する。容器体１内には内容物４としてのゲル状の脱臭剤や芳香剤等を収納する。
【００１９】
１０は蓋体で、容器体１の側壁３外面へ嵌合させた周壁１１の開口面を天板１２で閉塞させると共に、天板１２を外方(上方を除く)へ延設し、さらに、天板１２の下端部を後方へ屈曲して載置板部１３に形成する。
【００２０】
天板１２の下部に上向きコ字状の割溝１４を形成して、該割溝１４より外方の天板１２部分と載置板部１３とで枠柱部１５を形成させ、枠柱部１５の左右の垂直部分に薄肉ヒンジ１６を形成する。なお、天板１２には複数の開口１７を形成する。
【００２１】
２０は係合手段で、前記枠柱部１５の上下方向中間部に、上端が薄肉ヒンジ１６に達して上下方向へ延びる切り溝２１を形成し、該切り溝２１の下面から弾性板部２２を起立すると共に、枠柱部１５の後面に凹部２４付きのリブ２５を設けて、該リブ２５の下端を切り溝２１の後面に延設させ、前記枠柱部１５部分の後方への屈曲で前記弾性板部２２が前記リブ２５の凹部２４へ係合可能に設ける。
【００２２】
次に作用について説明する。
図１および図２は縦置き状態の容器を示す。縦置き状態では載置板部１３を下面にして容器体１と蓋体１０が直立した状態にある。吊下げにして使用する場合には、容器を図１および図２の状態から倒立させて、図３に示すように、薄肉ヒンジ１６より上方の枠柱部１５部分を後方へ屈曲させることで載置板部１３を容器体１の底壁２の後方へ間隔をおいて垂下させる。
【００２３】
上記のように枠柱部１５を薄肉ヒンジ１６を介して後方へ屈曲させると、係合手段２０の弾性板部２２がリブ２５へ当接して弾性変形しつつリブ２５の凹部２４へ係合することで枠柱部１５が所定の位置に保持される。容器を吊下げるには載置板部１３を他物、例えば、冷蔵庫のドアポケット等に引っ掛ければよい。
【００２４】
図６から図８は第２の実施形態を示す。本実施形態では、蓋体１０の天板１２を上下左右の外方へ延設し、天板１２の上部に下向きコ字状の割溝３０を形成して、該割溝３０より外方の天板部分を吊下げ枠部３１に形成し、吊下げ枠部３１の上端部を後方へ屈曲して嵌合板部３２に形成すると共に、吊下げ枠部３１の左右一対の垂直部分に薄肉ヒンジ３３を形成する。さらに、天板１２の下端部を後方へ屈曲して載置面部３４に形成する。
【００２５】
４０は係合手段で、薄肉ヒンジ３３を含む吊下げ枠部３１部分の内側面に円弧状の凹部４１を形成すると共に、蓋体１０の周壁１１の左右両側面に溝部４２付きの突部４３を設け、吊下げ枠部３１部分の後方への屈曲で吊下げ枠部３１部分が突部４３の溝部４２へ係合可能に設ける。その他の構成は第１実施形態と同一であるから説明を省略する。
【００２６】
次に作用について説明する。
図６および図７は縦置き状態の容器を示す。縦置き状態では載置面部３４を下面にして容器体１と蓋体１０が直立した状態にある。吊下げにして使用する場合には、図８に示すように、薄肉ヒンジ３３より上方の吊下げ枠部３１部分を後方へ屈曲させることで吊下げ枠部３１の上端部を容器体１の底壁２の後方へ間隔をおいて垂下させる。
【００２７】
上記のように吊下げ枠部３１を薄肉ヒンジ３３を介して後方へ屈曲させると、係合手段４０の凹部４１を形成する吊下げ枠部３１部分が突部４３の溝部４２へ係合して、吊下げ枠部３１が所定の位置に保持される。容器を吊下げるには吊下げ枠部３１を他物、例えば、冷蔵庫のドアポケット等に引っ掛ければよい。
【産業上の利用可能性】
【００２８】
本発明は、脱臭剤等を収納する容器の分野に利用することができる。
【符号の説明】
【００２９】
１  容器体
１０  蓋体
１２  天板
１３  載置板部
１４  割溝
１５  枠柱部
１６  薄肉ヒンジ
１７  開口
２０  係合手段
２１  切り溝
２４  凹部
２５  リブ
３０  割溝
３１  吊下げ枠部
３２  嵌合板部
３３  薄肉ヒンジ
３４  載置面部
４０  係合手段
４２  溝部
４３  突部
【図１】
0005569943.tif 000002
【図２】
0005569943.tif 000003
【図３】
0005569943.tif 000004
【図４】
0005569943.tif 000005
【図５】
0005569943.tif 000006
【図６】
0005569943.tif 000007
【図７】
0005569943.tif 000008
【図８】
0005569943.tif 000009